(57)【特許請求の範囲】
【請求項１】
対向配置された第１及び第２の基板と、前記第１及び第２の基板間に挟まれた高分子分散型または高分子ネットワーク型の第１の液晶層とを備える第１の液晶表示パネルと、
対向配置された第３及び第４の基板と、前記第３及び第４の基板間に挟まれた第２の液晶層と、前記第３の基板に設けられたカラーフィルタと、前記第３及び第４の基板にそれぞれ設けられた第１及び第２の偏光板とを備える第２の液晶表示パネルと、
前記第１及び第２の液晶表示パネル間に挟まれ、前記第２及び第３の基板に接するように設けられた空気層と、
前記第２及び第３の基板間に前記空気層を封入するシール材と、
を具備することを特徴とする液晶表示装置。
【請求項３】
前記第２の液晶表示パネルは、ノーマリブラック方式、かつ垂直配向（ＶＡ）モードであることを特徴とする請求項１に記載の液晶表示装置。
【請求項４】
前記第２の液晶表示パネルは、複数の画素を有し、
前記複数の画素の各々は、反射領域と透過領域とを有することを特徴とする請求項１に記載の液晶表示装置。
【請求項５】
前記第１の液晶表示パネルは、キャラクタ表示を行い、
前記第２の液晶表示パネルは、前記キャラクタ表示より情報量が多い情報表示を行い、
前記キャラクタ表示において、前記第１の液晶表示パネルが駆動され、かつ前記第２の液晶表示パネルがオフされ、
前記情報表示において、前記第１の液晶表示パネルが透過状態に設定され、かつ前記第２の液晶表示パネルが駆動されることを特徴とする請求項１に記載の液晶表示装置。
【請求項６】
前記第１の液晶表示パネルの上方に設けられたタッチパネルと、
前記タッチパネルが検知するタッチ操作に応じて、前記キャラクタ表示と前記情報表示とを切り替える制御部と、
をさらに具備することを特徴とする請求項５に記載の液晶表示装置。
【請求項７】
表示面の傾きを検出する検出部と、
前記検出部の検出結果に応じて、前記第１及び第２の液晶表示パネルのオン／オフを制御する制御部と、
をさらに具備することを特徴とする請求項１に記載の液晶表示装置。
【発明の詳細な説明】
【技術分野】
【０００１】
本発明は、液晶表示装置に関する。
【背景技術】
【０００２】
従来、腕時計は時刻表示のようなキャラクタ表示が主な用途であるため、腕時計にはキャラクタ表示が可能でより低消費電力の液晶表示装置、例えば反射型又は半透過型の液晶表示装置などが用いられる。一方で、現在、小型の携帯情報端末としてスマートフォンが広く用いられている。このような携帯情報端末では、透過型カラー液晶表示装置や有機ＥＬ表示装置などが用いられる。【０００３】
ユーザが手首に装着して使用する腕時計は、搭載できる電池の容量が小さい。よって、携帯情報端末で扱う情報量の多い表示を腕時計で実現するために、腕時計に透過型カラー液晶表示装置や有機ＥＬ表示装置を用いると、消費電力が大きくなるため実用的ではない。
【先行技術文献】
【特許文献】
【０００４】
【特許文献１】特開２００６−１０１５０５号公報
【特許文献２】特開２０００−２１４２７７号公報
【特許文献３】特開２００７−２３２８８２号公報
【発明の概要】
【発明が解決しようとする課題】
【０００５】
本発明は、消費電力を低減しつつ、情報量の少ない表示と情報量の多い表示とを両立することが可能な液晶表示装置を提供する。
【課題を解決するための手段】
【０００６】
本発明の一態様に係る液晶表示装置は、対向配置された第１及び第２の基板と、前記第１及び第２の基板間に挟まれた高分子分散型または高分子ネットワーク型の第１の液晶層とを備える第１の液晶表示パネルと、対向配置された第３及び第４の基板と、前記第３及び第４の基板間に挟まれた第２の液晶層と、前記第３の基板に設けられたカラーフィルタと、前記第３及び第４の基板にそれぞれ設けられた第１及び第２の偏光板とを備える第２の液晶表示パネルと、前記第２の基板に接するようにして前記第１及び第２の液晶表示パネル間に挟まれ、前記第２の基板の屈折率と異なる屈折率を有する透明部材とを具備することを特徴とする。
【発明の効果】
【０００７】
本発明によれば、消費電力を低減しつつ、情報量の少ない表示と情報量の多い表示とを両立することが可能な液晶表示装置を提供することができる。
【図面の簡単な説明】
【０００８】
【図１】本実施形態に係る液晶表示部の断面図。
【図２Ａ】電子腕時計の概略図。
【図２Ｂ】電子腕時計の概略図。
【図３】電子腕時計のブロック図。
【図４】キャラクタ表示における液晶表示部の動作を説明する図。
【図５】情報表示における液晶表示部の動作を説明する図。
【図６】傾き検知部の検知動作を説明する図。
【図７】電子腕時計の動作を示すフローチャート。
【図８Ａ】ユーザが電子腕時計を装着した様子を説明する図。
【図８Ｂ】ユーザが電子腕時計を装着した様子を説明する図。
【図９】変形例に係る電子腕時計の動作を示すフローチャート。
【図１０】変形例に係る電子腕時計のブロック図。
【図１１】第２の実施形態に係る液晶表示部の断面図。
【発明を実施するための形態】
【０００９】
以下、実施形態について図面を参照して説明する。ただし、図面は模式的または概念的なものであり、各図面の寸法および比率等は必ずしも現実のものと同一とは限らないことに留意すべきである。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置等によって、本発明の技術思想が特定されるものではない。なお、以下の説明において、同一の機能及び構成を有する要素については同一符号を付し、重複説明は必要な場合にのみ行う。
【００１０】
［第１の実施形態］
［１．液晶表示部１０の構成］
本実施形態の液晶表示部１０は、例えば電子腕時計に使用される液晶表示パネルである。図１は、本実施形態に係る液晶表示部１０の断面図である。液晶表示部１０は、第１の液晶表示パネル１２と第２の液晶表示パネル１４とを備え、第１の液晶表示パネル１２と第２の液晶表示パネル１４とが透明部材（例えば空気層）１３を介して積層される。
【００１１】
第１の液晶表示パネル１２は、液晶表示パネル自体の光量の吸収が大幅に減少するため、明るい画面が得られ、パネル下部の可視性を有し、かつ少ない電力で駆動することができる。また、第１の液晶表示パネル１２は、情報量が少ない文字表示や図形表示（以下、キャラクタ表示という）を行うパターン表示型で、透明状態及び散乱状態の表示、すなわち白黒表示が可能である。キャラクタ表示には、情報量が少ない文字や図形の表示、及び時計表示（セグメント表示）などが含まれる。第１の液晶表示パネル１２は、例えば、高分子分散型液晶（ＰＤＬＣ：Polymer Dispersed Liquid Crystal）、又は高分子ネットワーク型液晶（ＰＮＬＣ：Polymer Network Liquid Crystal）から選択される液晶表示パネルから構成される。
【００１２】
第２の液晶表示パネル１４は、情報量が多い文字表示や画像表示（以下、情報表示という）を行い、また、カラー表示が可能である。第２の液晶表示パネル１４は、カラーフィルタ付き液晶表示パネルから構成される。本実施形態の液晶表示部１０では、第１の液晶表示パネル１２がキャラクタ表示（時計表示及び待ち受け表示を含む）を行い、第２の液晶表示パネル１４がキャラクタ表示より情報量の多い情報表示を行う。
【００１３】
まず、第１の液晶表示パネル１２の構造について説明する。第１の液晶表示パネル１２は、共通電極が形成される下側基板２０と、表示電極が形成されかつ下側基板２０に対向配置される上側基板２１と、下側基板２０及び上側基板２１間に挟持された液晶層２２とを備える。上側基板２１の液晶層２２と反対側の面が、液晶表示部１０の表示面に対応する。下側基板２０及び上側基板２１はそれぞれ、透明基板（例えば、ガラス基板）から構成される。
【００１４】
下側基板２０上には、共通電極２３が設けられる。共通電極２３は、表示面全域にプレーン状に形成される。上側基板２１上には、複数の表示電極２４が設けられる。複数の表示電極２４は、第１の液晶表示パネル１２が表示可能なキャラクタに対応した形状に加工される。図１には、簡略化のため、３個の表示電極２４のみ図示しているが、実際には、キャラクタ表示を行うためのより多くの画素電極２４が設けられる。共通電極２３及び表示電極２４はそれぞれ、ＩＴＯ（インジウム錫酸化物）等の透明導電膜から構成される。上側基板２１の表示面側には、ＵＶ（紫外線）カットフィルム２７が設けられる。なお、共通電極２３と表示電極２４との配置は、逆であってもよい。
【００１５】
液晶層２２は、下側基板２０及び上側基板２１間を貼り合わせるシール材２６によって封入される。液晶層２２は、上述のように、高分子分散型液晶（ＰＤＬＣ）、又は高分子ネットワーク型液晶（ＰＮＬＣ）により構成される。ＰＮＬＣは、高分子ネットワーク２５中に液晶材料が分散された構造を有しており、高分子ネットワーク２５中の液晶材料は、連続相を有している。ＰＤＬＣは、高分子によって液晶が分散、すなわち高分子内において液晶が相分離した構造を有している。高分子層（ポリマー層）としては光硬化樹脂を用いることができる。例えば、ＰＮＬＣは、光重合型の高分子前駆体（モノマー）に液晶材料を混合させた溶液に紫外線を照射し、モノマーを重合させてポリマーを形成し、そのポリマーのネットワーク中に液晶材料が分散される。液晶層２２の液晶材料としては、ポジ型（Ｐ型）のネマティック液晶が用いられる。すなわち、無電圧（無電界）時に液晶分子の長軸（ダイレクタ）がランダムに配向し、電圧印加（電界印加）時に液晶分子のダイレクタが基板面に対してほぼ垂直に配向する。
【００１６】
次に、第２の液晶表示パネル１４の構造について説明する。第２の液晶表示パネル１４は、画素ごとにアクティブ素子を配置したアクティブマトリクス方式が用いられる。
【００１７】
第２の液晶表示パネル１４は、アクティブ素子（スイッチング素子）としてのＴＦＴ（Thin Film Transistor）、及び画素電極等が形成されるＴＦＴ基板３０と、カラーフィルタ及び共通電極が形成されかつＴＦＴ基板３０に対向配置されるカラーフィルタ基板（ＣＦ基板）３１と、ＴＦＴ基板３０及びＣＦ基板３１間に挟持された液晶層３２とを備える。ＴＦＴ基板３０及びＣＦ基板３１はそれぞれ、透明基板（例えば、ガラス基板）から構成される。
【００１８】
液晶層３２は、ＴＦＴ基板３０及びＣＦ基板３１間を貼り合わせるシール材３３によって封入された液晶材料により構成される。液晶材料は、ＴＦＴ基板３０及びＣＦ基板３１間に印加された電界に伴って液晶分子の配向が操作されて光学特性が変化する。本実施形態の第２の液晶表示パネル１４は、例えば垂直配向（ＶＡ：Vertical Alignment）型液晶を用いたＶＡモードが用いられる。すなわち、液晶層３２としてネガ型（Ｎ型）のネマティック液晶が用いられ、液晶分子は、無電圧（無電界）時には基板面に対してほぼ垂直に配向させる。ＶＡモードの液晶分子配列では、無電圧時に液晶分子の長軸（ダイレクタ）が垂直に配向し、電圧印加（電界印加）時に液晶分子の長軸が水平方向に向かって傾く。ＶＡモード以外の液晶モードでは、ホモジニアスモード、或いはＴＮ（Twisted Nematic）モードも用いることができる。なお、コントラストを向上させる観点からは、ＶＡモードの方が適する。
【００１９】
ＴＦＴ基板３０には、画素３４ごとに、ＴＦＴ３５、及び画素電極３６が設けられる。また、ＴＦＴ基板３０には、ＴＦＴ３５、及び画素電極３６を覆うように配向膜３７が設けられる。なお、１つの表示画素（ピクセル）は、赤（Ｒ）、緑（Ｇ）、青（Ｂ）のカラーフィルタを有する３つのサブ画素により構成される。以下の説明では、表示画素とサブ画素との区別が特に必要な場合を除き、サブ画素を画素と呼ぶものとする。ＴＦＴ３５は、ＴＦＴ基板３０の液晶層３２側に形成され、画素３４のオン／オフを切り替えるスイッチング素子である。図１には、簡略化のため、３個の画素３４のみ図示しているが、実際には、情報表示を行うためのより多くの画素３４が設けられる。
【００２０】
画素電極３６は、画素３４ごとに設けられ、これに対応する画素３４全域に形成される。画素電極３６は、液晶層３２に電圧を印加するためのものであり、ＴＦＴ３５の電流経路の一端に電気的に接続される。画素電極３６は、ＩＴＯ（インジウム錫酸化物）等の透明導電膜から構成される。配向膜３７は、液晶分子の配向を制御する。
【００２１】
ＣＦ基板３１には、カラーフィルタ３８、共通電極３９、及び配向膜４０が設けられる。カラーフィルタ３８は、ＣＦ基板３１の液晶層３２側に設けられ、赤色フィルタＲ、緑色フィルタＧ、及び青色フィルタＢの３色のカラーフィルタ（着色部材）を備える。赤色フィルタＲ、緑色フィルタＧ、及び青色フィルタＢの各々は、画素電極３６に対向する位置に配置され、サブ画素を構成する。赤色フィルタＲ、緑色フィルタＧ、及び青色フィルタＢの間には、混色を防ぐための遮光膜（ブラックマトリクス）ＢＫが形成される。
【００２２】
共通電極３９は、カラーフィルタ３８の液晶層３２側に設けられ、表示面全域にプレーン状に形成される。共通電極３９は、ＩＴＯ等の透明導電膜から構成される。配向膜４０は、配向膜３７と対をなし、液晶分子の配向を制御する。本実施形態では、配向膜３７及び４０は、画素電極３６と共通電極３９との間に電位差がほぼ無い状態、つまり、画素電極３６と共通電極３９との間に電界が印加されていない状態で、液晶分子を基板面に対してほぼ垂直に配向させる。
【００２３】
ＴＦＴ基板３０のバックライト１５側には、位相差板４１、及び偏光板４２が設けられる。ＣＦ基板３１の表示面側には、位相差板４３、及び偏光板４４が設けられる。偏光板４２、４４は、ランダムな方向の振動面を有する光から、透過軸と平行な一方向の振動面を有する光、すなわち直線偏光の偏光状態を有する光を取り出すものである。偏光板４２、４４の各々は、面内において、互いに直交する吸収軸及び透過軸を有する。偏光板４２、４４は、互いの透過軸が直交するように配置される。
【００２４】
位相差板４１、４３の各々は、屈折率異方性を有しており、面内において互いに直交する遅相軸及び進相軸を有する。位相差板４１、４３は、互いの遅相軸が直交するように配置される。位相差板４１、４３は、遅相軸と進相軸とをそれぞれ透過する所定波長の光の間に所定のリタデーション（λを透過する光の波長としたとき、λ／４の位相差）を与える機能を有している。すなわち、位相差板４１、４３は、λ／４板から構成される。位相差板４１、４３の遅相軸はそれぞれ、偏光板４２、４４の透過軸に対してほぼ４５°に設定される。
【００２５】
第１の液晶表示パネル１２と第２の液晶表示パネル１４とは、透明部材１３を介して積層されている。透明部材１３は、第１の液晶表示パネル１２の下側基板２０と接触し、透明部材１３の屈折率は、下側基板２０の屈折率と異なるように設定される。透明部材１３は、上記の条件を満たす透明な材料であればよく、さらには気体又は液体でもよい。本実施形態では、透明部材１３は、例えば空気層から構成される。透明部材１３の一例である空気層を、空気層１３ａと表記する。透明部材１３として空気層１３ａを用いることは、コストの面から好ましい。空気層１３ａは、シール材１８によって第１の液晶表示パネル１２及び第２の液晶表示パネル１４間に封入される。第１の液晶表示パネル１２と第２の液晶表示パネル１４との間に空気層１３aを設けることで、第１の液晶表示パネル１２に表示面側から入射した光は、下側基板２０と空気層１３ａとの界面で反射する。この結果、第１の液晶表示パネル１２による明るい表示が実現できる。
【００２６】
液晶表示部１０の表示面と反対面には、バックライト（光源）１５が対向配置されている。このバックライト１５は、例えばＥＬ（Electroluminescence）バックライトが用いられる。
【００２７】
第１の液晶表示パネル１２の表示面側には、タッチパネル１１が設けられている。タッチパネル１１は、透明基板（例えば、ガラス基板）１６と、タッチセンサ１７とを備える。タッチパネル１１は、ユーザが当該パネルを押下したことを検知し、さらに、押下された位置、つまりタッチ位置の座標を特定する。タッチパネル１１としては、抵抗膜方式、静電容量方式、電磁誘導方式、超音波表面弾性方式、及び赤外線走査方式などのいずれを用いてもよい。
【００２８】
［２．液晶表示装置（電子腕時計）５０の構成］
次に、図１に示した液晶表示部１０を備えた液晶表示装置５０の構成について説明する。以下では、本実施形態の液晶表示装置５０として、電子腕時計を例に挙げて説明する。図２Ａ及び図２Ｂは、電子腕時計５０の概略図である。図２Ａは、第１の液晶表示パネル１２によるキャラクタ表示の一例を示している。図２Ｂは、第２の液晶表示パネル１４による情報表示の一例を示している。
【００２９】
図３は、電子腕時計５０のブロック図である。電子腕時計５０は、制御部５１、電源部５２、記憶部５３、通信部５４、計時回路部５５、発振回路５６、表示駆動部５７、液晶表示部１０、入力部５８、及び傾き検知部５９を備える。
【００３０】
電源部５２は、電子腕時計５０内の各モジュールに電源線を介して各種電源を供給する。電源部５２は、例えばボタン電池（一次電池）を備える。
【００３１】
記憶部５３は、例えば、データ読み出し用のＲＯＭ（Read Only Memory）、及びデータ読み出し及び書き込み可能なＲＡＭ（Random Access Memory）を備える。記憶部５３は、電子腕時計５０の種々の機能を実現させるためのシステムプログラム、及びアプリケーションプログラムなどを記憶するプログラム領域と、画像データなどの各種データを記憶するデータ領域とを含む。
【００３２】
通信部５４は、インターネットを含むネットワークを介して他の装置との間で行う通信（無線通信）を制御する。また、通信部５４は、他の装置との間で行うBluetooth（登録商標）などの短距離無線通信を制御する機能を有していてもよい。
【００３３】
発振回路５６は、常時、一定周波数のクロック信号を出力する。計時回路部５５は、発振回路５６から入力される信号を計数して、現在時刻データ等を取得する。計時回路部５５は、取得した現在時刻データ、及び日付データを制御部５１に出力する。
【００３４】
表示駆動部５７は、制御部５１からの制御信号及びデータ等に基づいて、液晶表示部１０を駆動し、この液晶表示部１０に各種キャラクタ及び各種情報を表示させる。また、表示駆動部５７は、液晶表示部１０に含まれる第１の液晶表示パネル（ＰＤ−ＬＣＤ、又はＰＮ−ＬＣＤ）１２及び第２の液晶表示パネル（カラーＬＣＤ）１４を個別に駆動する。
【００３５】
入力部５８は、電子腕時計５０の各種機能の実行を指示するための複数の押しボタン、及び図１で示したタッチセンサ１７を含む。ユーザにより入力部５８が操作されると、これに基づいて、時刻セットやモード選択などが実行される。
【００３６】
傾き検知部５９は、電子腕時計５０の表示面の傾きを検出する。具体的には、傾き検知部５９は、電子腕時計５０の表示面と鉛直線（重力方向）との角度を検出する。傾き検知部５９は、例えば、３軸加速度センサから構成される。
【００３７】
制御部５１は、電子腕時計５０の全体動作を制御する。制御部５１は、ＣＰＵ（Central Processing Unit）から構成される。制御部５１は、例えば、所定のタイミング或いは入力部５８から入力された操作信号等に応じて、ＲＯＭに格納されている各種プログラムを読み出してＲＡＭの作業領域に展開し、当該プログラムに従って電子腕時計５０を構成する各モジュールへの指示（制御）やデータの転送等を実行する。
【００３８】
また、図示は省略するが、電子腕時計５０は、カメラ機能（撮像部）などを備えていてもよい。
【００３９】
［３．液晶表示部１０の動作］
次に、第１の液晶表示パネル１２及び第２の液晶表示パネル１４を備えた液晶表示部１０の動作について説明する。前述したように、液晶表示部１０の動作は、表示駆動部５７及び制御部５１により制御される。まず、キャラクタ表示の動作について説明する。図４は、キャラクタ表示における液晶表示部１０の動作を説明する図である。
【００４０】
キャラクタ表示では、第１の液晶表示パネル１２が表示動作を行い、第２の液晶表示パネル１４はオフ状態（バックライト１５もオフ）になる。第２の液晶表示パネル１４は、ノーマリブラック方式であり、オフ状態では黒表示である。
【００４１】
第１の液晶表示パネル１２の液晶層２２は、高分子ネットワーク内に液晶が分散しており、電圧オフ（無電界）時、液晶分子の配列はランダムになっている。液晶分子の異常光の屈折率ｎｅ、正常光の屈折率ｎｏとすると、“ｎｅ＞ｎｏ”である。高分子ネットワークの屈折率ｎとすると、“ｎ＝ｎｏ”に設定される。オフ状態の領域では、表示面側から第１の液晶表示パネル１２に光が入射すると、液晶分子の配列がランダムであるため、光は散乱して白表示となる。この時、下側基板２０の下には、下側基板２０と屈折率の異なる空気層１３ａが存在するため、下側基板２０まで到達した光は、下側基板２０と空気層１３ａとの界面で反射する。この結果、第１の液晶表示パネル１２による明るい表示が実現できる。
【００４２】
一方、液晶層２２に電圧（電界）を印加すると（オン状態）、液晶分子の長軸（ダイレクタ）が電界方向に配列し、液晶層２２の屈折率が一様な値ｎになる。このオン状態の領域では、表示面側から第１の液晶表示パネル１２に入射した光は、液晶層２２を透過して直進する。この場合、液晶層２２を透過した光は、第２の液晶表示パネル１４の偏光板４４まで到達するが、そこで反射しないので黒表示となる。
【００４３】
従って、複数の表示電極２４の電圧を個別に制御することで、オフ状態の領域とオン状態の領域とを制御できる。表示電極２４がオフ状態の領域では白表示、表示電極２４がオン状態の領域では黒表示となる。これにより、任意のキャラクタ表示（本実施形態では、時計表示、及び待ち受け表示など）を実現できる。
【００４４】
次に、情報表示の動作について説明する。図５は、情報表示における液晶表示部１０の動作を説明する図である。
【００４５】
情報表示では、バックライト１５がオンされ、バックライト１５からの光が第２の液晶表示パネル１４に入射する。さらに、第２の液晶表示パネル１４が駆動されるとともに、第１の液晶表示パネル１２は表示面全域が透過状態（透明状態）に設定される。すなわち、第１の液晶表示パネル１２の液晶層２２は全域がオン状態に設定される。
【００４６】
第２の液晶表示パネル１４のオフ状態の画素では、液晶分子の長軸が立上っているので、液晶層３２の位相差がほぼゼロである。よって、オフ状態では、偏光板４２を透過したバックライト光は、位相差がほぼゼロの状態の液晶層３２を透過した後、偏光板４２に対してクロスニコル状態で配置された偏光板４４に吸収されて黒表示となる。第２の液晶表示パネル１４の黒表示は、透過状態の第１の液晶表示パネル１２を介して、ユーザに視認される。
【００４７】
一方、第２の液晶表示パネル１４のオン状態の画素では、液晶分子の長軸が垂直方向から傾き、この場合の液晶層３２の位相差がほぼλ／２となるように設定される。よって、オン状態では、偏光板４２を透過したバックライト光は、液晶層３２を透過して位相差が付与された後、偏光板４４を透過して白表示（カラー表示）となる。第２の液晶表示パネル１４のカラー表示は、透過状態の第１の液晶表示パネル１２介して、ユーザに視認される。
【００４８】
［４．電子腕時計５０の動作］
次に、電子腕時計５０の動作について説明する。まず、傾き検知部５９の動作について説明する。図６は、傾き検知部５９の検知動作を説明する図である。
【００４９】
電子腕時計５０の表示面において、文字列が並ぶ方向をＸ軸、Ｘ軸に直交する方向をＹ軸と定義する。また、Ｘ軸と鉛直線（反重力軸）との角度をφ、Ｙ軸と鉛直線との角度をθと定義する。傾き検知部５９は、鉛直線に対してＸ軸がどれだけ傾いているか（角度φが何度か）、及び鉛直線に対してＹ軸がどれだけ傾いているか（角度θが何度か）を検出する。“０°≦φ≦９０°”、“０°≦θ≦９０°”とする。すなわち、角度φ、θはそれぞれ、鉛直線との角度が小さい方に対応する。
【００５０】
図７は、電子腕時計５０の動作を示すフローチャートである。電子腕時計５０は、ユーザの手首に装着されているものとする。制御部５１は、傾き検知部５９による検知結果を監視し（ステップＳ１０１）、角度φが“０°≦φ＜３０°”である場合、電子腕時計５０をスリープモード（省電力モード）に設定する（ステップＳ１００）。“０°≦φ＜３０°”の条件は、ユーザが電子腕時計５０の表示を見ていないことを検知するためのものである。図８Ａは、ユーザが電子腕時計５０の表示を見ていない状態を説明する図であり、ユーザは、電子腕時計５０が装着された腕をほぼ鉛直線に沿って下げている。この場合、例えば、“θ≒９０°、φ≒０”である。“≒”は、近似を意味する。スリープモードでは、制御部５１は、バックライト１５、第１の液晶表示パネル（ＰＤ−ＬＣＤ、又はＰＮ−ＬＣＤ）１２、及び第２の液晶表示パネル（カラーＬＣＤ）１４の全てをオフする。これにより、スリープモードでは、電子腕時計５０の消費電力をより低減できる。
【００５１】
ステップＳ１０１において角度φが３０°以上であると判定されると、制御部５１は、電子腕時計５０を時計表示モードに設定する（ステップＳ１０２）。“φ≧３０°”の条件は、ユーザが電子腕時計５０の表示を見ていることを検知するためのものである。スリープモードと時計表示モードとの切り替えを判断するための角度φ＝３０°は一例であり、電子腕時計５０の仕様に応じて最適な角度に設計可能である。図８Ｂは、ユーザが電子腕時計５０の表示を見ている状態を説明する図であり、ユーザは、電子腕時計５０が装着された腕をほぼ水平方向に向けている。この場合、例えば、“θ≒８０°、φ≒９０”である。時計表示モードでは、制御部５１は、バックライト１５をオフ、第１の液晶表示パネル（ＰＤ−ＬＣＤ、又はＰＮ−ＬＣＤ）１２を表示駆動、第２の液晶表示パネル（カラーＬＣＤ）１４をオフする。これにより、ユーザは、キャラクタ表示の一例として時計表示を視認することができる。時計表示モードでは、バックライト１５及び第２の液晶表示パネル（カラーＬＣＤ）１４がオフされるため、電子腕時計５０の消費電力を抑制することができる。
【００５２】
続いて、制御部５１は、タッチパネル１１による検出結果を監視し（ステップＳ１０３）、ユーザにより切替操作、例えばタッチパネル１１へのダブルタッチ操作をタッチパネル１１が検出すると、制御部５１は、電子腕時計５０を情報表示モードに設定する（ステップＳ１０４）。情報表示モードでは、制御部５１は、バックライト１５をオン、第１の液晶表示パネル（ＰＤ−ＬＣＤ、又はＰＮ−ＬＣＤ）１２の表示面全域をオン（透過状態）、第２の液晶表示パネル（カラーＬＣＤ）１４を表示駆動する。情報表示モードでは、電子腕時計５０は、キャラクタ表示より情報量が多い情報を表示し、またカラー表示が可能である。
【００５３】
続いて、制御部５１は、タッチパネル１１による検出結果を監視し（ステップＳ１０５）、ユーザによるタッチパネル１１へのダブルタッチ操作をタッチパネル１１が検出すると、制御部５１は、ステップＳ１０１に戻り、傾き検知部５９による検知結果を監視する。
【００５４】
図９は、変形例に係る電子腕時計５０の動作を示すフローチャートである。ステップＳ１０５に続いて、制御部５１は、所定時間の間、入力部５８を介してユーザによる入力操作があるか否かを判定する（ステップＳ１０６）。ステップＳ１０６において所定時間の間、ユーザによる入力操作がないと判定された場合、制御部５１は、ステップＳ１０１に戻り、傾き検知部５９による検知結果を監視する。ステップＳ１０６を追加することにより、ユーザが情報表示モードを使用した後に情報表示モードをオフするのを忘れた場合でも、電子腕時計５０をスリープモードに遷移させることができる。これにより、電子腕時計５０の消費電力が無駄に増えるのを防ぐことができる。
【００５５】
また、電子腕時計５０がユーザの手首に装着されていない場合、電子腕時計５０は、スリープモードに設定される。図１０は、変形例に係る電子腕時計５０のブロック図である。例えば、電子腕時計５０は、電子腕時計５０がユーザの手首に装着されているか否かを検知するセンサ６０を備え、このセンサにより電子腕時計５０がユーザの手首に装着されていないと判定された場合、制御部５１は、電子腕時計５０をスリープモードに設定する。これにより、電子腕時計５０の消費電力をより低減できる。
【００５６】
［効果］
以上詳述したように第１の実施形態では、電子腕時計（液晶表示装置）５０は、消費電力の小さい第１の液晶表示パネル１２と消費電力の大きい第２の液晶表示パネル１４とが積層された液晶表示部１０を備え、第１の液晶表示パネル１２は、時計表示を含むキャラクタ表示を行い、第２の液晶表示パネル１４は、キャラクタ表示より情報量が多い情報表示を行うようにしている。さらに、キャラクタ表示中は、消費電力の大きい第２の液晶表示パネル１４及びバックライト１５をオフするようにしている。
【００５７】
従って第１の実施形態によれば、キャラクタ表示と情報表示とを両立できるとともに、キャラクタ表示中の消費電力を低減することができる。これにより、一次電池など電源の容量に制限がある場合でも、表示時間を大幅に長くすることが可能となる。
【００５８】
また、第１の液晶表示パネル１２及び第２の液晶表示パネル１４間に、第１の液晶表示パネル１２の下側基板２０と接触するように空気層１３ａを設けている。これにより、下側基板２０と空気層１３ａとの界面で反射する反射光を表示に利用できるため、より明るい表示が実現できる。
【００５９】
また、傾き検知部５９を用いてユーザが液晶画面を見ていないと判定した場合、電子腕時計５０はスリープモードに設定される。このスリープモードでは、バックライト１５、第１の液晶表示パネル（ＰＤ−ＬＣＤ、又はＰＮ−ＬＣＤ）１２、及び第２の液晶表示パネル（カラーＬＣＤ）１４の全てがオフされる。これにより、電子腕時計５０の消費電力をより低減することができる。
【００６０】
また、電子腕時計５０は、ユーザの操作が容易なタッチパネル１１を備えている。そして、タッチパネル１１により検知されたタッチ操作に応じて、表示モードを切り替えるようにしている。これにより、電子腕時計５０が複数の表示モードを有する場合でも、表示モードの切り替えを簡単に行うことが可能である。
【００６１】
［第２の実施形態］
第２の実施形態は、第２の液晶表示パネル１４として、半透過型液晶表示パネルを使用した構成例である。図１１は、第２の実施形態に係る液晶表示部１０の断面図である。
【００６２】
第２の液晶表示パネル１４の画素３４は、反射領域３４Ｒ及び透過領域３４Ｔを有する。反射領域３４Ｒは、画素３４のうち反射膜４５が設けられた領域に対応し、透過領域３４Ｔは、画素３４のうち反射膜４５が設けられていない領域に対応する。
【００６３】
反射膜４５は、ＴＦＴ基板３０に形成され、液晶表示部１０の表示面から入射する外光を反射する機能を有する。反射膜４５としては、例えばアルミニウム（Ａｌ）が用いられる。その他の構成は、第１の実施形態と同じである。
【００６４】
このように構成された液晶表示部１０では、明るい屋外で液晶表示部１０の表示を見た場合に、第２の液晶表示パネル１４の反射領域３４Ｒによる反射光を表示に利用できる。これにより、液晶表示部１０の屋外視認性が向上し、また、第２の液晶表示パネル１４の情報表示をより明るく表示できる。
【００６５】
なお、上記第１及び第２の実施形態では、電子機器として腕時計を例示したが、これに限られるものではなく、携帯電話機や携帯情報端末などの小型携帯可能な形状、さらに身体に付けて携帯されるウェアラブルデバイスとしてのディスプレイ、コンピュータ、及びカメラなどの他の電子機器に、第１の液晶表示パネル１２と第２の液晶表示パネル１４とが積層された液晶表示部１０を適用してもよい。
【００６６】
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００６７】
１０…液晶表示部、１１…タッチパネル、１２…第１の液晶表示パネル、１３…透明部材、１４…第２の液晶表示パネル、１５…バックライト、１６…透明基板、１７…タッチセンサ、１８，２６，３３…シール材、２０…下側基板、２１…上側基板、２２…液晶層、２３…共通電極、２４…表示電極、２５…高分子ネットワーク、２７…ＵＶカットフィルム、３０…ＴＦＴ基板、３１…ＣＦ基板、３２…液晶層、３４…画素、３５…ＴＦＴ、３６…画素電極、３７，４０…配向膜、３８…カラーフィルタ、３９…共通電極、４１，４３…位相差板、４２，４４…偏光板、４５…反射膜、５０…液晶表示装置、５１…制御部、５２…電源部、５３…記憶部、５４…通信部、５５…計時回路部、５６…発振回路、５７…表示駆動部、５８…入力部、５９…傾き検知部、６０…センサ。
【要約】
液晶表示装置５０は、第１の液晶表示パネル１２と、第２の液晶表示パネル１４と、第１及び第２の液晶表示パネル１２、１４間に挟まれた透明部材１３とを含む。第１の液晶表示パネル１２は、対向配置された基板２０、２１と、基板２０、２１間に挟まれた高分子分散型または高分子ネットワーク型の液晶層２２とを備える。第２の液晶表示パネル１４は、対向配置された基板３０、３１と、基板３０、３１間に挟まれた液晶層３２と、基板３１に設けられたカラーフィルタ３８と、基板３０、３１にそれぞれ設けられた偏光板４２、４４とを備える。透明部材１３は、基板２０に接触し、基板２０の屈折率と異なる屈折率を有する。【図１】
0005640178.tif 000002
【図２Ａ】
0005640178.tif 000003
【図２Ｂ】
0005640178.tif 000004
【図３】
0005640178.tif 000005
【図４】
0005640178.tif 000006
【図５】
0005640178.tif 000007
【図６】
0005640178.tif 000008
【図７】
0005640178.tif 000009
【図８Ａ】
0005640178.tif 000010
【図８Ｂ】
0005640178.tif 000011
【図９】
0005640178.tif 000012
【図１０】
0005640178.tif 000013
【図１１】
0005640178.tif 000014